(57)【要約】【課題】光ネットワーク内で使用される光の波長を精度よく調整できるようにする。【解決手段】光伝送装置は、指定された波長の基準光を生成する基準波長光源と、基準光を用いて校正された基準波長計と、他の光伝送装置から送信される測定光の波長を表す波長情報を受信する受信部と、基準波長計を用いて測定された測定光の波長と波長情報により表される波長との間の誤差を検出する検出部と、誤差を表す誤差情報を前記他の光伝送装置へ送信する送信部と、を有する。【選択図】図５Ａ
2016100743.tif 000002
【特許請求の範囲】
【請求項１】
指定された波長の基準光を生成する基準波長光源と、
前記基準光を用いて校正された基準波長計と、
他の光伝送装置から送信される測定光の波長を表す波長情報を受信する受信部と、
前記基準波長計を用いて測定された前記測定光の波長と前記波長情報により表される波長との間の誤差を検出する検出部と、
前記誤差を表す誤差情報を前記他の光伝送装置へ送信する送信部と、
を有する光伝送装置。
【請求項２】
波長計と、
測定光を生成する波長可変光源と、
前記測定光の波長を表す波長情報を、校正された基準波長計を有する基準光伝送装置へ送信する送信部と、
前記基準光伝送装置において前記基準波長計により測定された前記測定光の波長と前記波長情報により表される波長との間の誤差を表す誤差情報を、前記基準光伝送装置から受信する受信部と、
前記誤差情報に基づいて前記波長計を校正する校正部と、
を有する光伝送装置。
【請求項３】
前記校正部により校正された波長計を利用して前記波長可変光源を制御する光源制御部をさらに有する
ことを特徴とする請求項２に記載の光伝送装置。
【請求項４】
校正された第１の波長計を有する第１の光伝送装置および第２の波長計を有する第２の光伝送装置を含む光ネットワークシステムにおいて使用される光の波長を校正する波長校正方法であって、
前記第２の光伝送装置から前記第１の光伝送装置へ第１の測定光を送信し、
前記第１の光伝送装置において、前記第１の測定光の波長を表す第１の波長情報を取得し、
前記第１の光伝送装置において、前記第１の波長計を用いて前記第１の測定光の波長を測定し、
前記第１の光伝送装置において、前記第１の波長計を用いて測定された前記第１の測定光の波長と前記第１の波長情報により表される波長との間の第１の誤差を検出し、
前記第１の光伝送装置から前記第２の光伝送装置へ前記第１の誤差を表す第１の誤差情報を送信し、
前記第２の光伝送装置において、前記第１の誤差情報に基づいて前記第２の波長計を校正する
ことを特徴とする波長構成方法。
【請求項５】
前記光ネットワークシステムは、第３の波長計を有する第３の光伝送装置を含み、
前記第２の光伝送装置において前記第２の波長計が校正された後に、前記第３の光伝送装置から前記第２の光伝送装置へ第２の測定光を送信し、
前記第２の光伝送装置において、前記第２の測定光の波長を表す第２の波長情報を取得し、
前記第２の光伝送装置において、前記第２の波長計を用いて前記第２の測定光の波長を測定し、
前記第２の光伝送装置において、前記第２の波長計を用いて測定された前記第２の測定光の波長と前記第２の波長情報により表される波長との間の第２の誤差を検出し、
前記第２の光伝送装置から前記第３の光伝送装置へ前記第２の誤差を表す第２の誤差情報を送信し、
前記第３の光伝送装置において、前記第２の誤差情報に基づいて前記第３の波長計を校正する
ことを特徴とする請求項４に記載の波長校正方法。
【請求項６】
前記光ネットワークシステムは、前記第２の光伝送装置に接続され、且つ、前記第２の光伝送装置を経由して前記第１の光伝送装置に接続される、第３の波長計を有する第３の光伝送装置を含み、
前記第３の光伝送装置から前記第２の光伝送装置を経由して前記第１の光伝送装置へ第２の測定光を送信し、
前記第１の光伝送装置において、前記第２の測定光の波長を表す第２の波長情報を取得し、
前記第１の光伝送装置において、前記第１の波長計を用いて前記第２の測定光の波長を測定し、
前記第１の光伝送装置において、前記第１の波長計を用いて測定された前記第２の測定光の波長と前記第２の波長情報により表される波長との間の第２の誤差を検出し、
前記第１の光伝送装置から前記第３の光伝送装置へ前記第２の誤差を表す第２の誤差情報を送信し、
前記第３の光伝送装置において、前記第２の誤差情報に基づいて前記第３の波長計を校正する
ことを特徴とする請求項４に記載の波長校正方法。
【請求項７】
基準波長光源を有する基準光伝送装置からｋ個の光伝送装置を経由して校正された第ｋ＋１の波長計を有する第ｋ＋１の光伝送装置、および前記第ｋ＋１の光伝送装置に光伝送路を介して接続される第ｋ＋２の波長計を有する第ｋ＋２の光伝送装置を含む光ネットワークシステムにおいて使用される光の波長を校正する波長校正方法であって、
前記第ｋ＋２の光伝送装置から前記第ｋ＋１の光伝送装置へ第ｋ＋１の測定光を送信し、
前記第ｋ＋１の光伝送装置において、前記第ｋ＋１の測定光の波長を表す第ｋ＋１の波長情報を取得し、
前記第ｋ＋１の光伝送装置において、前記第ｋ＋１の波長計を用いて前記第ｋ＋１の測定光の波長を測定し、
前記第ｋ＋１の光伝送装置において、前記第ｋ＋１の波長計を用いて測定された前記第ｋ＋１の測定光の波長と前記第ｋ＋１の波長情報により表される波長との間の第ｋ＋１の誤差を検出し、
前記第ｋ＋１の光伝送装置から前記第ｋ＋２の光伝送装置へ前記第ｋ＋１の誤差を表す第ｋ＋１の誤差情報を送信し、
前記第ｋ＋２の光伝送装置において、前記第ｋ＋１の誤差情報に基づいて前記第ｋ＋２の波長計を校正する
ことを特徴とする波長構成方法。
【請求項８】
基準波長光源を有する基準光伝送装置からｋ本の光伝送路を経由して校正された第ｋ＋１の波長計を有する第ｋ＋１の光伝送装置、および前記第ｋ＋１の光伝送装置に光伝送路を介して接続される第ｋ＋２の波長計を有する第ｋ＋２の光伝送装置を含む光ネットワークシステムにおいて使用される光の波長を校正する波長校正方法であって、
前記第ｋ＋２の光伝送装置から、前記第ｋ＋１の光伝送装置を経由して光信号のまま前記基準光伝送装置へ第ｋ＋１の測定光を送信し、
前記基準光伝送装置において、前記第ｋ＋１の測定光の波長を表す第ｋ＋１の波長情報を取得し、
前記基準光伝送装置において、前記基準波長光源により校正された第１の波長計を用いて前記第ｋ＋１の測定光の波長を測定し、
前記基準光伝送装置において、前記第１の波長計を用いて測定された前記第ｋ＋１の測定光の波長と前記第ｋ＋１の波長情報により表される波長との間の第ｋ＋１の誤差を検出し、
前記基準光伝送装置から前記第ｋ＋２の光伝送装置へ前記第ｋ＋１の誤差を表す第ｋ＋１の誤差情報を送信し、
前記第ｋ＋２の光伝送装置において、前記第ｋ＋１の誤差情報に基づいて前記第ｋ＋２の波長計を校正する
ことを特徴とする波長構成方法。
【発明の詳細な説明】
【技術分野】
【０００１】
本発明は、光ネットワークシステムにおいて使用される光伝送装置および波長校正方法に係わる。
【背景技術】
【０００２】
近年、Super channelおよびNyquist channelなどの周波数利用効率の高い変調方式が実用化されている。周波数利用効率の高い変調方式が使用される光ネットワークにおいては、各光信号の波長が適切に調整されていないときは、光信号間で干渉が発生することがある。この場合、信号の品質が劣化し、ビット誤り率が高くなるおそれがある。したがって、光ネットワークにおいては、光信号の波長（すなわち、光周波数）が精度よく調整されていることが要求される。
【０００３】
また、光ネットワーク内部のノードにおいて、光信号のまま波長毎に方路を切替える波長選択スイッチの導入も行われていることで、波長精度の向上の要求が高くなっている。
【０００４】
関連する技術は、例えば、特許文献１〜４に記載されている。
【先行技術文献】
【特許文献】
【０００５】
【特許文献１】特開昭６２−１５９９２９号公報
【特許文献２】特開平８−６５２６８号公報
【特許文献３】特開平９−１６２８４９号公報
【特許文献４】特開平９−２５２２８３号公報
【発明の概要】
【発明が解決しようとする課題】
【０００６】
しかしながら、従来の技術では、光ネットワーク内で使用される波長が精度よく調整されていないことがある。この問題は、光ネットワーク内の各伝送装置にそれぞれ精度の高い光源を設ければ解決し得る。ただし、この構成では、光ネットワークを構築するためのコストが高くなってしまう。
【０００７】
本発明の１つの側面に係わる目的は、光ネットワーク内で使用される光の波長を精度よく調整することである。
【課題を解決するための手段】
【０００８】
本発明の１つの態様の光伝送装置は、指定された波長の基準光を生成する基準波長光源と、前記基準光を用いて校正された基準波長計と、他の光伝送装置から送信される測定光の波長を表す波長情報を受信する受信部と、前記基準波長計を用いて測定された前記測定光の波長と前記波長情報により表される波長との間の誤差を検出する検出部と、前記誤差を表す誤差情報を前記他の光伝送装置へ送信する送信部と、を有する。
【発明の効果】
【０００９】
上述の態様によれば、光ネットワーク内で使用される光の波長を精度よく調整することができる。
【図面の簡単な説明】
【００１０】
【図１】光ネットワークシステムの一例を示す図である。
【図２】第１の実施形態の波長校正方法の概要を示す図である。
【図３】第１の実施形態の波長校正方法を示すフローチャートである。
【図４】第１の実施形態の波長校正方法の一例を示す図である。
【図５Ａ】基準光伝送装置の構成の一例を示す図（その１）である。
【図５Ｂ】基準光伝送装置の構成の一例を示す図（その２）である。
【図５Ｃ】基準光伝送装置の構成の一例を示す図（その３）である。
【図６】測定誤差を検出する方法を説明する図である。
【図７Ａ】基準光伝送装置の構成の他の例を示す図（その１）である。
【図７Ｂ】基準光伝送装置の構成の他の例を示す図（その２）である。
【図７Ｃ】基準光伝送装置の構成の他の例を示す図（その３）である。
【図８Ａ】基準光伝送装置の構成の他の例を示す図（その４）である。
【図８Ｂ】基準光伝送装置の構成の他の例を示す図（その５）である。
【図８Ｃ】基準光伝送装置の構成の他の例を示す図（その６）である。
【図９Ａ】基準波長光源を有していない光伝送装置の構成の一例を示す図（その１）である。
【図９Ｂ】基準波長光源を有していない光伝送装置の構成の一例を示す図（その２）である。
【図９Ｃ】基準波長光源を有していない光伝送装置の構成の一例を示す図（その３）である。
【図１０】制御部の構成の一例を示す図である。
【図１１】第２の実施形態の波長校正方法の概要を示す図である。
【図１２】第２の実施形態の波長校正方法を示すフローチャートである。
【図１３】測定光を転送する構成の実施例を示す図である。
【発明を実施するための形態】
【００１１】
＜第１の実施形態＞
図１は、本発明の実施形態に係わる光ネットワークシステムの一例を示す。実施形態の光ネットワークシステム１００は、図１に示すように、複数のノード（１、２ａ〜２ｃ、３ａ〜３ｃ）を有する。各ノードには、光伝送装置が設けられている。なお、以下の記載では、ノード１、２ａ、２ｂ、２ｃ、３ａ、３ｂ、３ｃに設けられている伝送装置をそれぞれ光伝送装置１、２ａ、２ｂ、２ｃ、３ａ、３ｂ、３ｃと呼ぶことがある。
【００１２】
光ネットワークシステム１００は、ＷＤＭ信号を伝送する。ＷＤＭ信号に多重化される光信号は、例えば、ＩＴＵ−Ｔ周波数グリッド上に配置される。ＩＴＵ−Ｔ周波数グリッドは、12.5GHz間隔、25GHz間隔、50GHz間隔、または100GHz間隔で光信号を配置することができる。例えば、50GHz間隔のＩＴＵ−Ｔ周波数グリッドは、下式で表される。なお、ｋは、グリッド番号を表し、ゼロを含む整数である。
周波数＝193.1＋k×0.05 [THz]
この場合、例えば、ｋ＝０に対して概算公称中心波長＝1552.5244nmが得られる。
【００１３】
以下の記載では、周波数グリッドおよび波長グリッドを区別しないものとする。なお、ＩＴＵ−Ｔ周波数グリットと異なる周波数間隔の周波数グリッド、あるいは不均一な周波数間隔の周波数グリッドにおいても、ＩＴＵ−Ｔ周波数グリッドとの間で定量的な比較が可能であれば、それらの周波数グリッドにおいても本発明を適用することは可能である。
【００１４】
光ネットワークシステム１００の各ノードに設けられている光伝送装置は、ＷＤＭ信号を生成して送信するために、複数の波長可変光源を有している。そして、ＩＴＵ−Ｔ周波数グリッド上の光信号が伝送されるように、各光伝送装置の波長可変光源が調整される。換言すれば、各光伝送装置は、各光信号の波長が精度よくＩＴＵ−Ｔ周波数グリッド上に配置されるように、対応する波長可変光源を調整する。
【００１５】
ネットワーク管理システム（ＮＭＳ）２００は、光ネットワークシステム１００を管理する。すなわち、ネットワーク管理システム２００は、各ノードに設けられている光伝送装置を制御することができる。例えば、ネットワーク管理システム２００は、ユーザから要求されたパスを設定するように、対応するノードに設けられている光伝送装置を制御する。また、ネットワーク管理システム２００は、ノード間で伝送される制御データを中継することができる。なお、ネットワーク管理システム２００は、特に図示しないが、各伝送装置と通信可能に接続されている。
【００１６】
各光伝送装置は、波長計１１を有している。そして、光伝送装置は、自装置内の波長計１１を利用して波長可変光源を調整することにより指定された波長の光信号を生成する。したがって、各光伝送装置の波長計１１は、適切に校正されていることが好ましい。
【００１７】
上記構成の光ネットワークシステム１００において、光伝送装置１は、他の光源よりも波長安定性の高い基準波長光源を有する。そして、光伝送装置１は、この基準波長光源を利用して光伝送装置１の波長計１１を校正する。よって、以下の記載では、他の光伝送装置と区別するために、光伝送装置１を「基準光伝送装置」と呼ぶことがある。なお、図１において、校正された波長計１１（すなわち、光伝送装置１の波長計１１）は、斜線領域で表されている。
【００１８】
図２は、第１の実施形態の波長校正方法の概要を示す。ここでは、図１に示す光ネットワークシステム１００において、各ノードの光伝送装置が供える波長計が校正される。
【００１９】
光伝送装置２ａ〜２ｃは、それぞれ光ファイバ伝送路で光伝送装置１に直接的に接続されている。すなわち、各光伝送装置２ａ〜２ｃは、他の光伝送装置による中継なしで光伝送装置１へ光信号を送信することができ、また、他の光伝送装置による中継なしで光伝送装置１から光信号を受信することができる。
【００２０】
各光伝送装置２ａ〜２ｃは、光伝送装置１を利用して自装置の波長計１１を校正し、その校正した波長計１１を利用して自装置の波長可変光源を調整する。一例として、光伝送装置２ａの波長計１１を校正する手順を説明する。
【００２１】
光伝送装置２ａは、図２（ａ）に示すように、測定光を生成して光伝送装置１へ送信する。このとき、光伝送装置２ａは、光伝送装置２ａの波長計１１を利用して測定光の波長を測定し、その測定結果を光伝送装置１へ送信する。光伝送装置２ａによる測定結果は、例えば、測定光を利用して光伝送装置１へ送信される。あるいは、光伝送装置２ａによる測定結果は、ネットワーク管理システム２００を利用して光伝送装置１へ通知されるようにしてもよい。ただし、この時点で、光伝送装置２ａの波長計１１は校正されていない。よって、光伝送装置２ａによる測定結果は、誤差を含んでいる。
【００２２】
光伝送装置１は、光伝送装置２ａから受信する測定光の波長を測定する。ここで、光伝送装置１の波長計１１は、基準波長光源を利用して予め校正されている。すなわち、光伝送装置１による測定結果は、受信した測定光の波長を正しく表す。そこで、光伝送装置１は、光伝送装置２ａの波長計１１による測定結果と光伝送装置１の波長計１１による測定結果との間の誤差を検出する。そして、光伝送装置１は、この誤差を表す誤差情報を光伝送装置２ａへ送信する。誤差情報は、例えば、光伝送装置１と光伝送装置２ａとを接続する光ファイバ伝送路を介して伝送される。あるいは、誤差情報は、ネットワーク管理システム２００を利用して光伝送装置２ａへ通知されるようにしてもよい。
【００２３】
光伝送装置２ａは、この誤差情報に基づいて光伝送装置２ａの波長計１１を校正する。以降、光伝送装置２ａは、校正された波長計１１を利用して自装置の波長可変光源を調整することができる。すなわち、光伝送装置２ａは、校正された波長計１１を利用して送信光信号の波長を調整することができる。光伝送装置２ｂ、２ｃは、同様の方法で、波長計１１を校正する。すなわち、図２（ａ）において斜線領域で示すように、光伝送装置２ａ〜２ｃの波長計１１が校正される。
【００２４】
このように、光伝送装置２ａ〜２ｃの波長計１１は、基準光伝送装置（すなわち、光伝送装置１）を利用して校正される。よって、以下の記載において、各光伝送装置２ａ〜２ｃを「２次基準光伝送装置」と呼ぶことがある。２次基準光伝送装置は、基準光伝送装置と同様に、他の光伝送装置の波長計１１を校正するために利用されることがある。
【００２５】
光伝送装置３ａ〜３ｃは、光伝送装置１に直接的には接続されていない。ただし、各光伝送装置３ａ〜３ｃは、光ファイバ伝送路で２次基準光伝送装置に接続されている。すなわち、光伝送装置３ａは光伝送装置２ａおよび２ｂに接続され、光伝送装置３ｂは光伝送装置２ａに接続され、光伝送装置３ｃは光伝送装置２ｃに接続されている。したがって、各光伝送装置３ａ〜３ｃは、対応する２次基準光伝送装置を利用して自装置の波長計１１を校正し、その校正した波長計１１を利用して自装置の波長可変光源を調整する。一例として、光伝送装置３ａの波長計１１を校正する手順を説明する。
【００２６】
光伝送装置３ａは、図２（ｂ）に示すように、測定光を生成して光伝送装置２ｂへ送信する。このとき、光伝送装置３ａは、光伝送装置３ａの波長計１１を利用して測定光の波長を測定し、その測定結果を光伝送装置２ｂへ送信する。光伝送装置３ａによる測定結果は、例えば、測定光を利用して光伝送装置２ｂへ送信される。あるいは、光伝送装置３ａによる測定結果は、ネットワーク管理システム２００を利用して光伝送装置２ｂへ通知されるようにしてもよい。ただし、この時点で、光伝送装置３ａの波長計１１は校正されていない。よって、光伝送装置３ａによる測定結果は、誤差を含んでいる。
【００２７】
光伝送装置２ｂは、光伝送装置３ａから受信する測定光の波長を測定する。ここで、光伝送装置２ｂの波長計１１は、図２（ａ）に示すように、光伝送装置１を利用して既に校正されている。すなわち、光伝送装置２ｂによる測定結果は、受信した測定光の波長を正しく表す。そこで、光伝送装置２ｂは、光伝送装置３ａの波長計１１による測定結果と光伝送装置２ｂの波長計１１による測定結果との間の誤差を検出する。そして、光伝送装置２ｂは、この誤差を表す誤差情報を光伝送装置３ａへ送信する。誤差情報は、例えば、光伝送装置２ｂと光伝送装置３ａとを接続する光ファイバ伝送路を介して伝送される。あるいは、誤差情報は、ネットワーク管理システム２００を利用して光伝送装置３ａへ通知されるようにしてもよい。
【００２８】
光伝送装置３ａは、この誤差情報に基づいて光伝送装置３ａの波長計１１を校正する。以降、光伝送装置３ａは、校正された波長計１１を利用して自装置の波長可変光源を調整することができる。すなわち、光伝送装置３ａは、校正された波長計１１を利用して送信光信号の波長を調整することができる。光伝送装置３ｂ、３ｃは、同様の方法で、波長計１１を校正する。すなわち、図２（ｂ）において斜線領域で示すように、光伝送装置３ａ〜３ｃの波長計１１が校正される。
【００２９】
このように、光伝送装置３ａ〜３ｃの波長計１１は、２次基準光伝送装置（すなわち、光伝送装置２ａ〜２ｃ）を利用して校正される。よって、以下の記載において、各光伝送装置３ａ〜３ｃを「３次基準光伝送装置」と呼ぶことがある。３次基準光伝送装置は、基準光伝送装置または２次基準光伝送装置と同様に、他の光伝送装置の波長計１１を校正するために利用されることがある。
【００３０】
各ノードの校正は、例えば、異なる時刻に行われる。すなわち、図２（ａ）に示す例では、異なる時刻に光伝送装置２ａ〜２ｃの波長計１１が校正される。また、図２（ｂ）に示す例では、異なる時刻に光伝送装置３ａ〜３ｃの波長計１１が校正される。これらのケースでは、光伝送装置２ａ〜２ｃ、３ａ〜３ｃから送信される測定光の波長は、同じであってもよい。また、各光伝送装置２ａ〜２ｃ、３ａ〜３ｃの波長計１１の校正は、たとえば、ネットワーク管理システム２００からの指示に応じて開始される。
【００３１】
或いは、図２（ａ）において、光伝送装置２ａ〜２ｃにより使用される測定光の波長が互いに異なるときは、光伝送装置２ａ〜２ｃの波長計１１を並列に校正できる。同様に、図２（ｂ）において、光伝送装置３ａ〜３ｃにより使用される測定光の波長が互いに異なるときは、光伝送装置３ａ〜３ｃの波長計１１を並列に校正できる。
【００３２】
なお、各ノードの波長計は、複数の異なる波長の測定光を利用して校正されるようにしてもよい。この場合、測定光ごとに誤差が検出され、誤差の平均に基づいて波長計が校正される。この方法によれば、校正精度が向上する。
【００３３】
図３は、第１の実施形態の波長校正方法を示すフローチャートである。変数ｉは、光伝送装置を識別する。例えば、基準光伝送装置（図１では、光伝送装置１）は、ｉ＝１で表される。基準光伝送装置から１ホップ離れている光伝送装置は、ｉ＝２で表される。図１に示す例では、光伝送装置２ａ、２ｂ、２ｃは、それぞれｉ＝２で表される。基準光伝送装置から２ホップ離れている光伝送装置は、ｉ＝３で表される。図１に示す例では、光伝送装置３ａ、３ｂ、３ｃは、それぞれｉ＝３で表される。同様に、基準光伝送装置からｎホップ離れている光伝送装置は、ｉ＝ｎ＋１で表される。なお、光伝送装置ｉ＋１の波長計１１を校正するときは、対応する光伝送装置ｉの波長計１１は既に校正されているものとする。
【００３４】
Ｓ１において、ネットワーク管理システム２００は、光ネットワークシステム１００の構成を表すネットワーク構成情報を各ノードへ送信する。ネットワーク構成情報は、各ノードに設けられている光伝送装置について測定光の宛先を指定する情報を含む。そして、ネットワーク管理システム２００は、Ｓ２において、変数ｉを初期化する。
【００３５】
Ｓ３において、光伝送装置ｉ＋１は、ネットワーク構成情報により指定される光伝送装置ｉへ測定光を送信する。このとき、光伝送装置ｉ＋１は、波長情報も光伝送装置ｉへ送信する。波長情報は、この実施例では、光伝送装置ｉ＋１の波長計１１により測定された測定光の波長を表す。
【００３６】
Ｓ４において、光伝送装置ｉは、光伝送装置ｉ＋１から受信する測定光の波長を測定する。なお、光伝送装置ｉの波長計１１は、既に校正されている。Ｓ５において、光伝送装置ｉは、Ｓ４で得られた波長と光伝送装置ｉ＋１から受信した波長情報により表される波長との間の誤差を検出する。Ｓ６において、光伝送装置ｉは、Ｓ５で検出した誤差を表す誤差情報を光伝送装置ｉ＋１へ送信する。
【００３７】
Ｓ７において、光伝送装置ｉ＋１は、光伝送装置ｉから受信する誤差情報に基づいて、光伝送装置ｉ＋１の波長計１１を校正する。Ｓ３〜Ｓ７の処理は、「ｉ＋１」により識別される各光伝送装置に対して実行される。例えば、図１に示す例において、ｉが「１」であるときは、各光伝送装置２ａ〜２ｃに対してＳ３〜Ｓ７の処理がそれぞれ実行される。また、ｉが「２」であるときは、各光伝送装置３ａ〜３ｃに対してＳ３〜Ｓ７の処理がそれぞれ実行される。
【００３８】
Ｓ８において、光ネットワークシステム内のすべてのノードにおいて波長計１１が校正されたか否かが判定される。そして、波長計１１が校正されていない光伝送装置が残っているときは、Ｓ９において変数ｉがインクリメントされ、波長校正方法の処理はＳ３に戻る。
【００３９】
このように、第１の実施形態の波長校正方法では、基準光伝送装置に近い光伝送装置から順番に波長計１１が校正されてゆく。すなわち、変数ｉが「１」であるときは、基準光伝送装置から１ホップ離れている光伝送装置２ａ〜２ｃの波長計１１が校正される。これにより、２次基準光伝送装置が得られる。続いて、変数ｉが「２」にインクリメントされると、基準光伝送装置から２ホップ離れている光伝送装置３ａ〜３ｃの波長計１１が校正される。このとき、２次基準光伝送装置を利用して光伝送装置３ａ〜３ｃの波長計１１が校正される。
【００４０】
図４は、第１の実施形態の波長校正方法の一例を示す。この例では、光伝送装置ｉ＋１から光伝送装置ｉへ送信される測定光の目標波長は、1552.52nmである。この場合、光伝送装置ｉ＋１において、制御部１３は、波長計１１による測定結果が1552.52nmとなるように光源１２の発振波長を調整する。そして、光源１２の出力光は、測定光として光伝送装置ｉへ送信される。このとき、光伝送装置ｉ＋１の波長計１１による測定結果を表す波長情報「λ(i+1)＝1552.52」も光伝送装置ｉへ送信される。
【００４１】
光伝送装置ｉは、光伝送装置ｉ＋１から送信される測定光の波長を測定する。この例では、光伝送装置ｉの波長計１１による測定結果が1552.50nmである。ここで、光伝送装置ｉの波長計１１は、既に校正されている。すなわち、光伝送装置ｉは、基準光伝送装置として動作できる状態に制御されている。そして、光伝送装置ｉの制御部１３は、光伝送装置ｉの波長計１１による測定値と光伝送装置ｉ＋１の波長計１１による測定値との間の誤差Δλを検出する。この例では、Δλ＝0.02が検出される。そうすると、光伝送装置ｉは、検出した誤差Δλを表す誤差情報を光伝送装置ｉ＋１へ送信する。
【００４２】
光伝送装置ｉ＋１において、制御部１３は、光伝送装置ｉから受信する誤差情報に基づいて波長計１１を校正する。波長計１１の校正は、例えば、誤差情報に基づいて波長計１１の測定結果を補正する演算により実現される。図４に示す例では、波長計１１が「測定値−0.02」を出力するように、波長計１１内の演算回路が校正される。ただし、他の方法で波長計１１の校正を実現してもよい。例えば、波長計１１の測定結果がΔλだけ補正された状態で出力されるように波長計１１の動作条件（印加電圧、温度など）を調整してもよい。
【００４３】
なお、図４に示す例では、光伝送装置ｉ＋１において測定された波長を表す波長情報が光伝送装置ｉに送信されるが、本発明はこの方法に限定されるものではない。たとえば、光伝送装置ｉ＋１は、波長情報としてＩＴＵ−Ｔ周波数グリッドのグリッド番号を光伝送装置ｉに通知してもよい。この場合、光伝送装置ｉ＋１は、波長計１１および光源１２を使用して、指定されたグリッド番号ｋに対応する目標波長の測定光を生成して光伝送装置ｉへ送信する。光伝送装置ｉは、光伝送装置ｉ＋１から送信される測定光の波長を測定する。そして、光伝送装置ｉは、測定した波長とグリッド番号ｋに対応する目標波長との誤差を検出し、その誤差を表す誤差情報を光伝送装置ｉ＋１へ送信する。この方法においては、測定光の目標波長を表すグリッド番号は、ネットワーク管理システム２００から光伝送装置ｉおよび光伝送装置ｉ＋１へ通知されるようにしてもよい。
【００４４】
或いは、光伝送装置ｉ＋１は、波長情報を光伝送装置ｉへ送信しなくてもよい。この場合、光伝送装置ｉは、光伝送装置ｉ＋１から送信される測定光の波長を測定し、その測定結果を光伝送装置ｉ＋１へ通知する。そして、光伝送装置ｉ＋１は、自装置の波長計１１で測定した波長と光伝送装置ｉにおいて測定された波長との間の誤差を検出し、その誤差に基づいて波長計１１を校正する。
【００４５】
図５Ａ〜図５Ｃは、基準光伝送装置の構成の一例を示す。基準光伝送装置３００は、基準波長光源２１ａ、２１ｂ、セレクタ２２（または、光カプラ２９）、波長可変光フィルタ２３、波長計１１、制御部１３、光分岐器２４、受信部２５、波長可変光源２６ａ〜２６ｎ、光変調器２７ａ〜２７ｎ、光分岐器２８ａ〜２８ｎを有する。
【００４６】
基準波長光源２１ａ、２１ｂは、波長の安定した光を生成する波長安定化光源により実現される。基準波長光源２１ａ、２１ｂの出力光の波長は、互いに異なっている。なお、波長安定化光源の波長安定性は、例えば、分子ガスまたは原子ガスの光吸収の波長特性を物理的な波長基準値として実現される。
【００４７】
図５Ａに示す構成では、セレクタ２２は、制御部１３の指示に応じて、基準波長光源２１ａ、２１ｂの出力光、他の光伝送装置からの受信光、波長可変光源２６ａ〜２６ｎの出力光を選択する。たとえば、波長計１１が受信光の波長を測定するときは、セレクタ２２は、その受信光を選択する。
【００４８】
図５Ｂに示す構成では、波長可変光フィルタ２３は、制御部１３の指示に応じて、光カプラ２９からの出力光をフィルタリングする。例えば、波長計１１が受信光の波長を測定するときは、その受信光を通過させるように波長可変光フィルタ２３の通過波長が制御される。そして、波長計１１は、セレクタ２２により選択された光の波長を測定する。
【００４９】
なお、図５Ｃに示すように、セレクタ２２と波長可変光フィルタ２３を共に有して、光クロストークを低減させる構成もある。この場合には、セレクタ２２で光信号を選択したうえで、波長可変光フィルタ２３によって他の波長の光からのクロストークを低減するように制御できる。
【００５０】
以下では、図５Ａに示す構成について説明する、光分岐器２４は、受信光を分岐してセレクタ２２および受信部２５に導く。受信部２５は、受信光により伝送される情報を抽出する。例えば、受信光が波長情報を伝送する変調光信号であるときは、受信部２５は、その変調光信号を復調して波長情報を抽出する。
【００５１】
波長可変光源２６ａ〜２６ｎは、制御部１３により指定される波長の光を生成する。光変調器２７ａ〜２７ｎは、波長可変光源２６ａ〜２６ｎにより生成される光を変調する。光変調器２７ａ〜２７ｎは、制御部１３により生成される情報を伝送する変調光信号を生成することができる。光変調器２７ａ〜２７ｎにより生成される変調光信号は、他の光伝送装置へ送信される。すなわち、光変調器２７ａ〜２７ｎは、光送信器の一例である。なお、光変調器２７ａ〜２７ｎにより生成される変調光信号は、ＷＤＭ信号に多重化されてもよい。光分岐器２８ａ〜２８ｎは、光変調器２７ａ〜２７ｎにより生成される変調光信号を分岐してセレクタ２２に導く。
【００５２】
制御部１３は、校正部１３ａ、検出部１３ｂ、送信部１３ｃ、ＬＤ制御部１３ｄを備える。校正部１３ａは、波長計１１を校正する。検出部１３ｂは、波長計１１により測定された波長と受信する波長情報により表される波長との誤差を検出する。送信部１３ｃは、検出部１３ｂにより検出される誤差を表す誤差情報を、対応する光伝送装置へ送信する。ＬＤ制御部１３ｄは、波長可変光源２６ａ〜２６ｎを制御する。なお、制御部１３は、他の機能を有していてもよい。また、制御部１３は、例えば、プロセッサおよびメモリを含むプロセッサシステムにより実現される。この場合、制御部１３は、与えられるプログラムを実行することにより校正部１３ａ、検出部１３ｂ、送信部１３ｃ、ＬＤ制御部１３ｄの機能を提供する。
【００５３】
上記構成の基準光伝送装置３００において、波長計１１は、基準波長光源２１ａ、２１ｂを利用して校正される。このとき、基準波長光源２１ａは波長λsaの光を生成し、基準波長光源２１ｂは波長λsbの光を生成する。波長λsaおよび波長λsbは、非常に安定しているものとする。そして、制御部１３は、基準波長光源２１ａの出力光が波長計１１に導かれるときの波長計１１の測定値が波長λsaとなり、且つ、基準波長光源２１ｂの出力光が波長計１１に導かれるときの波長計１１の測定値が波長λsbとなるように、波長計１１を校正する。このとき、波長計１１は、校正部１３ａにより校正される。以降、基準光伝送装置３００は、他の光伝送装置から送信される測定光の波長を精度よく測定することができる。なお、以下の記載では、測定光を送信する光伝送装置を「校正を受ける光伝送装置」と呼ぶことがある。
【００５４】
基準光伝送装置３００が校正を受ける光伝送装置から測定光を受信したときは、図５Ａに示す場合には、セレクタ２２はその測定光を選択して波長計１１に導く。そして、波長計１１は、この測定光の波長を測定する。ここで、基準光伝送装置３００の波長計１１は校正されているので、波長計１１の測定精度は高い。また、この例では、測定光により波長情報が伝送されてくる。この場合、受信部２５は、測定光から波長情報を抽出する。波長情報は、校正を受ける光伝送装置におい測定された測定光の波長を表す。あるいは、波長情報は、校正を受ける光伝送装置において生成された測定光の目標波長に対応するＩＴＵ−Ｔ周波数グリッドのグリッド番号を表す。そして、制御部１３の検出部１３ｂは、波長計１１により測定された波長と波長情報により表される波長との間の誤差を算出する。
【００５５】
図６は、測定誤差を検出する方法を説明する図である。基準光伝送装置３００の波長計１１は、上述したように、基準波長光源２１ａの出力光λsaおよび基準波長光源２１ｂの出力光λsbを利用して校正されている。よって、基準光伝送装置３００は、ＩＴＵ−Ｔ周波数グリッドを提供することができる。
【００５６】
ここで、校正を受ける光伝送装置は、グリッド番号ｋに対応する波長λkの測定光を基準光伝送装置３００へ送信するものとする。ただし、この時点では、校正を受ける光伝送装置の波長計１１は校正されていない。よって、校正を受ける光伝送装置から送信される測定光の波長は、図６に示すように、波長λkに対して誤差を有している。そこで、基準光伝送装置３００は、校正された波長計１１で測定光の波長を測定して誤差Δλを検出する。誤差Δλは、波長λkに対する測定光の波長の誤差を表す。よって、この誤差Δλは、校正を受ける光伝送装置の波長計１１の誤差に相当する。
【００５７】
制御部１３は、上述の誤差Δλを表す誤差情報を生成する。そして、送信部１３ｃは、この誤差情報を校正を受ける光伝送装置へ送信する。例えば、波長可変光源２６ａを利用して誤差情報が送信される場合、送信部１３ｃは、誤差情報を表す駆動信号を変調器２７ａに与える。そうすると、誤差情報を表す変調光信号が生成される。
【００５８】
波長可変光源２６ａ〜２６ｎの発振波長は、校正された波長計１１を利用して制御される。例えば、波長可変光源２６ａの発振波長を制御するときは、セレクタ２２は、波長可変光源２６ａの出力光を選択して波長計１１に導く。そして、制御部１３のＬＤ制御部１３ｄは、波長計１１の測定値が目標波長に近づくように波長可変光源２６ａを制御する。この結果、波長可変光源２６ａの出力光の波長は、精度よく目標波長に制御される。
【００５９】
基準光伝送装置３００の構成は、図５Ａ〜図５Ｃに示す実施例に限定されるものではない。たとえば、図７Ａ〜図７Ｃに示す基準光伝送装置３００は、基準波長光源２１ｂの代わりに、光分岐器３１および周波数シフタ３２を有する。光分岐器３１は、基準波長光源２１ａの出力光を分岐して周波数シフタ３２に導く。周波数シフタ３２は、入力光の光周波数をシフトさせる。このとき、周波数シフタ３２は、入力光の光周波数をλsaからλsbにシフトさせる。他の構成は、図５Ａ〜図５Ｃおよび図７Ａ〜図７Ｃにおいて実質的に同じである。
【００６０】
図８Ａ〜図８Ｃに示す基準光伝送装置３００においては、１つ基準波長（ここでは、基準波長光源２１ａにより生成される光の波長λsa）を利用して波長計１１が校正される。また、基準光伝送装置３００は、干渉パターンを利用して入力光の波長を測定する波長計１１ａを有する。この場合、まず、波長計１１ａにより基準波長光源２１ａの出力光の干渉パターンが検出され、基準干渉パターンとして制御部１３に登録される。そして、基準光伝送装置３００が測定光を受信したときには、波長計１１ａは、その測定光の干渉パターンを検出する。そして、制御部１３の検出部１３ｂは、測定光の干渉パターンと基準干渉パターンとを比較することにより測定光の波長を測定する。そして、得られた測定値と受信部２５からの波長情報を比較することにより誤差Δλを検出する。他の構成は、図５Ａ〜図５Ｃおよび図８Ａ〜図８Ｃにおいて実質的に同じである。
【００６１】
図９Ａ〜図９Ｃは、基準波長光源を有していない光伝送装置の構成の一例を示す。基準波長光源を有していない光伝送装置４００は、基準光伝送装置３００と同様に、セレクタ２２、波長可変光フィルタ２３、波長計１１、制御部１３、光分岐器２４、受信部２５、波長可変光源２６ａ〜２６ｎ、光変調器２７ａ〜２７ｎ、光分岐器２８ａ〜２８ｎを有する。
【００６２】
上記構成の光伝送装置４００の波長計１１は、上述した基準光伝送装置３００を利用して校正される。あるいは、波長計１１は、図２を参照しながら説明した２次基準光伝送装置、３次基準光伝送装置などを利用して校正される。以下の記載では、基準光伝送装置３００を利用して光伝送装置４００の波長計１１が校正されるものとする。
【００６３】
このとき、光伝送装置４００は、波長可変光源２６ａ〜２６ｎのいずれか１つを利用して測定光を生成する。一例として、光伝送装置４００は、波長可変光源２６ａを利用して測定光を生成する。この場合、セレクタ２２は、波長可変光源２６ａの出力光を選択して波長計１１に導く。そして、ＬＤ制御部１３ｄは、波長計１１の測定値が目標波長になるように波長可変光源２６ａを制御する。そうすると、波長可変光源２６ａは、目標波長の測定光を生成することができる。ただし、波長計１１が校正されていないときは、測定光の波長は、目標波長に対して誤差を有している。なお、目標波長は、例えば、ＩＴＵ−Ｔ周波数グリッド上の任意の波長である。
【００６４】
光伝送装置４００は、上述のようにして生成される測定光を基準光伝送装置３００へ送信する。また、送信部１３ｃは、光伝送装置４００の波長計１１で測定した測定光の波長を表す波長情報を基準光伝送装置３００へ送信する。このとき、送信部１３ｃは、測定光を利用して波長情報を基準光伝送装置３００へ送信してもよい。この場合、送信部１３ｃは、波長情報を表す駆動信号を変調器２７ａに与える。そうすると、波長情報を伝送する測定光が生成される。
【００６５】
光伝送装置４００から送信される測定光は、基準光伝送装置３００により受信される。そうすると、基準光伝送装置３００は、測定光の波長を測定して誤差情報を生成する。誤差情報は、上述したように、基準光伝送装置３００から光伝送装置４００へ送信される。
【００６６】
光伝送装置４００において、受信部２５は、基準光伝送装置３００から送信される光信号から誤差情報を抽出する。そして、制御部１３の校正部１３ａは、この誤差情報を利用して波長計１１を校正する。波長計１１を校正する方法は、図４を参照しながら説明した通りである。すなわち、校正部１３ａは、波長計１１の測定値において誤差情報が示す誤差Δλが補償されるように、波長計１１内の演算回路を校正する。
【００６７】
以降、光伝送装置４００は、校正された波長計１１を有する２次基準光伝送装置として動作することができる。また、制御部１３のＬＤ制御部１３ｄは、校正された波長計１１を利用して波長可変光源２６ａ〜２６ｎの発振周波数を制御することができる。例えば、ＬＤ制御部１３ｄは、校正された波長計１１の測定値がそれぞれ対応する目標波長になるように、波長可変光源２６ａ〜２６ｎの発振波長をそれぞれ調整する。したがって、光伝送装置４００は、精度よく波長が制御された光信号を生成することができる。
【００６８】
このように、第１の実施形態の波長校正方法によれば、基準波長光源を有していない光伝送装置は、基準光伝送装置（２次基準光伝送装置、３次光伝送装置などを含む）に測定光を送信して誤差情報を取得することにより、自装置の波長計を校正する。また、波長計が校正された光伝送装置は、他の光伝送装置に対して基準光伝送装置として動作することができる。よって、各ノードに基準波長光源を設けなくても、光ネットワークシステム内のすべての光伝送装置の波長計を校正できる。したがって、光ネットワークシステムのトータルコストを増大させることなく、波長が精度よく制御された光信号で通信を行うことができる。
【００６９】
なお、上述した実施例では、基準波長光源を有する光伝送装置が光ネットワークシステム内に１つだけ設けられているが、本発明はこの構成に限定されるものではない。すなわち、光ネットワークシステムは、基準波長光源を有する光伝送装置を２以上備える構成であってもよい。
【００７０】
図１０は、基準光伝送装置３００または光伝送装置４００に実装される制御部１３の構成の一例を示す。制御部１３は、ＣＰＵ３１、ノードＩＦ３２、ＮＭＳＩＦ３３、ＬＤＩＦ３４、変調器ＩＦ３５、受信部ＩＦ３６、セレクタＩＦ３７、フィルタＩＦ３８、波長計ＩＦ３９を有する。
【００７１】
ＣＰＵ３１は、与えられたプログラムを実行することにより光伝送装置の動作を制御する。例えば、ＣＰＵ３１は、制御プログラム４０を実行することにより、校正部１３ａ、検出部１３ｂ、送信部１３ｃ、ＬＤ制御部１３ｄの機能を提供することができる。また、ＣＰＵ３１は、各インタフェース（３２〜３９）を介して対応するデバイスに指示またはデータを送信することができ、各インタフェースを介して対応するデバイスから情報を取得することができる。
【００７２】
ノードＩＦ３２は、他のノードに設けられている光伝送装置との間のインタフェースを提供する。ＮＭＳＩＦ３３は、ネットワーク管理システム２００との間のインタフェースを提供する。ＬＤＩＦ３４は、波長可変光源２６ａ〜２６ｎとの間のインタフェースを提供する。なお、基準光伝送装置３００においては、ＬＤＩＦ３４は、基準波長２１ａ、２１ｂとの間のインタフェースも提供する。変調器ＩＦ３５は、光変調器２７ａ〜２７ｎとの間のインタフェースを提供する。受信部ＩＦ３６は、受信部２５との間のインタフェースを提供する。セレクタＩＦ３７は、セレクタ２２との間のインタフェースを提供する。フィルタＩＦ３８は、光フィルタ２３との間のインタフェースを提供する。波長計ＩＦ３９は、波長計１１との間のインタフェースを提供する。
【００７３】
また、制御部１３は、メモリを含む。そして、このメモリには、様々なデータおよび情報が格納される。設定情報格納部４１は、ネットワーク管理システム２００から与えられる設定情報を格納する。この設定情報は、隣接ノードの各波長可変光源の波長を表す情報を含む。測定データ格納部４２は、波長計１１の測定結果を格納する。
【００７４】
＜第２の実施形態＞
第１の実施形態では、波長計が校正された光伝送装置は、基準光伝送装置として動作し得る。例えば、図２（ａ）に示すように、光伝送装置２ａ〜２ｃの波長計１１はそれぞれ光伝送装置１を利用して校正される。そうすると、図２（ｂ）に示すように、光伝送装置２ａ〜２ｃは、光伝送装置３ａ〜３ｃに対して基準光伝送装置として動作する。即ち、第１の実施形態では、各光伝送装置は、隣接ノードの光伝送装置を利用して波長計を校正する。
【００７５】
第２の実施形態では、各光伝送装置は、基準波長光源を有する基準光伝送装置（図１では、光伝送装置１）を利用して自装置の波長計を校正する。すなわち、光伝送装置１に隣接する光伝送装置２ａ〜２ｃは、図１１（ａ）に示すように、光伝送装置１を利用して自装置の波長計１１を校正する。この校正手順は、第１および第２の実施形態において同じである。
【００７６】
ただし、第２の実施形態では、光伝送装置１に隣接していない光伝送装置も、光伝送装置１を利用して自装置の波長計１１を校正する。すなわち、図１１（ｂ）に示すように、光伝送装置３ａ〜３ｃは、光伝送装置１を利用して自装置の波長計１１を校正する。この場合、光伝送装置２ａ〜２ｃは、光伝送装置３ａ〜３ｃから送信される測定光を、終端することなく光伝送装置１へ転送する。
【００７７】
図１２は、第２の実施形態の波長校正方法を示すフローチャートである。Ｓ１１において、ネットワーク管理システム２００は、光ネットワークシステム１００の構成を表すネットワーク構成情報を各光伝送装置へ送信する。ネットワーク構成情報は、各光伝送装置について測定光の宛先を指定する情報を含む。そして、ネットワーク管理システム２００は、Ｓ１２において、基準光伝送装置以外の光伝送装置を１つ選択する。
【００７８】
Ｓ１３〜Ｓ１７の処理は、図３に示す第１の実施形態のＳ３〜Ｓ７と類似している。ただし、第２に実施形態では、各光伝送装置は、基準波長光源を有する基準光伝送装置を利用して波長計を校正する。
【００７９】
Ｓ１３において、選択された光伝送装置は、基準光伝送装置へ測定光を送信する。このとき、選択された光伝送装置は、波長情報も基準光伝送装置へ送信する。波長情報は、例えば、測定光を利用して基準光伝送装置に伝送される。ただし、波長情報は、測定光とは別に基準光伝送装置へ伝送されるようにしてもよい。この場合、波長情報は、ネットワーク管理システム２００から基準光伝送装置に通知されるようにしてもよい。また、選択された光伝送装置と基準光伝送装置との間に位置する光伝送装置は、それぞれその測定光を終端することなく基準光伝送装置へ転送する。
【００８０】
Ｓ１４において、基準光伝送装置は、選択された光伝送装置から受信する測定光の波長を測定する。Ｓ１５において、基準光伝送装置は、Ｓ１４で得られた波長と波長情報により表される波長との間の誤差を検出する。Ｓ１６において、基準光伝送装置は、Ｓ１５で検出した誤差を表す誤差情報を選択された光伝送装置へ送信する。Ｓ１７において、選択された光伝送装置は、基準光伝送装置から受信する誤差情報に基づいて、自装置の波長計１１を校正する。
【００８１】
Ｓ１８において、光ネットワークシステム内のすべての光伝送装置の波長計１１が校正されたか否かが判定される。そして、波長計１１が校正されていない光伝送装置が残っているときには、波長校正方法の処理はＳ１２に戻る。
【００８２】
図１３は、測定光を転送する構成の実施例を示す。なお、図１３において、コア回路５０は、例えば、図９Ｃに示すセレクタ２２、波長可変光フィルタ２３、波長計１１、制御部１３、光分岐器２４、受信部２５、波長可変光源２６ａ〜２６ｎ、光変調器２７ａ〜２７ｎ、光分岐器２８ａ〜２８ｎ等を内部に含むノード本体部分に相当する。
【００８３】
図１３（ａ）に示す構成では、測定光を転送する機能は、波長チューナブルバンドパス光フィルタを用いて実現される。例えば、基準波長計を有するノードへ測定光Ａを転送するときは、コア回路５０は、波長チューナブルバンドパス光フィルタ５１ａの通過帯の中心波長を測定光Ａの波長に制御する。また、基準波長計を有するノードへ測定光Ｂを転送するときは、コア回路５０は、波長チューナブルバンドパス光フィルタ５１ｂの通過帯の中心波長を測定光Ｂの波長に制御する。
【００８４】
図１３（ｂ）に示す構成では、測定光を転送する機能は、波長選択スイッチ（ＷＳＳ）を用いて実現される。例えば、基準波長計を有するノードへ測定光Ａを転送するときは、コア回路５０は、測定光Ａの波長を選択するようにＷＳＳ５２ａおよびＷＳＳ５２ｃを制御する。また、基準波長計を有するノードへ測定光Ｂを転送するときは、コア回路５０は、測定光Ｂの波長を選択するようにＷＳＳ５２ｂおよびＷＳＳ５２ｃを制御する。なお、コア回路５０の中にＷＳＳが設けられている構成では、そのＷＳＳを利用して図１３（ｂ）と同等な機能を実現してもよい。
【００８５】
以上記載した各実施例を含む実施形態に関し、さらに以下の付記を開示する。
（付記１）
指定された波長の基準光を生成する基準波長光源と、
前記基準光を用いて校正された基準波長計と、
他の光伝送装置から送信される測定光の波長を表す波長情報を受信する受信部と、
前記基準波長計を用いて測定された前記測定光の波長と前記波長情報により表される波長との間の誤差を検出する検出部と、
前記誤差を表す誤差情報を前記他の光伝送装置へ送信する送信部と、
を有する光伝送装置。
（付記２）
波長計と、
測定光を生成する波長可変光源と、
前記測定光の波長を表す波長情報を、校正された基準波長計を有する基準光伝送装置へ送信する送信部と、
前記基準光伝送装置において前記基準波長計により測定された前記測定光の波長と前記波長情報により表される波長との間の誤差を表す誤差情報を、前記基準光伝送装置から受信する受信部と、
前記誤差情報に基づいて前記波長計を校正する校正部と、
を有する光伝送装置。
（付記３）
前記校正部により校正された波長計を利用して前記波長可変光源を制御する光源制御部をさらに有する
ことを特徴とする付記２に記載の光伝送装置。
（付記４）
前記送信部は、前記測定光を利用して前記波長情報を前記基準光伝送装置へ送信する
ことを特徴とする付記２または３に記載の光伝送装置。
（付記５）
校正された第１の波長計を有する第１の光伝送装置および第２の波長計を有する第２の光伝送装置を含む光ネットワークシステムにおいて使用される光の波長を校正する波長校正方法であって、
前記第２の光伝送装置から前記第１の光伝送装置へ第１の測定光を送信し、
前記第１の光伝送装置において、前記第１の測定光の波長を表す第１の波長情報を取得し、
前記第１の光伝送装置において、前記第１の波長計を用いて前記第１の測定光の波長を測定し、
前記第１の光伝送装置において、前記第１の波長計を用いて測定された前記第１の測定光の波長と前記第１の波長情報により表される波長との間の第１の誤差を検出し、
前記第１の光伝送装置から前記第２の光伝送装置へ前記第１の誤差を表す第１の誤差情報を送信し、
前記第２の光伝送装置において、前記第１の誤差情報に基づいて前記第２の波長計を校正する
ことを特徴とする波長構成方法。
（付記６）
前記第２の光伝送装置内に設けられている波長可変光源の波長は、校正された前記第２の波長計を利用して調整される
ことを特徴とする付記５に記載の波長校正方法。
（付記７）
前記第１の波長情報は、前記第１の誤差情報に基づいて前記第２の波長計が校正される前に前記第２の波長計により測定された前記第１の測定光の波長を表す
ことを特徴とする付記５に記載の波長校正方法。
（付記８）
前記第１の波長情報は、前記第１の測定光の目標波長を表す
ことを特徴とする付記５に記載の波長校正方法。
（付記９）
前記光ネットワークシステムは、第３の波長計を有する第３の光伝送装置を含み、
前記第２の光伝送装置において前記第２の波長計が校正された後に、前記第３の光伝送装置から前記第２の光伝送装置へ第２の測定光を送信し、
前記第２の光伝送装置において、前記第２の測定光の波長を表す第２の波長情報を取得し、
前記第２の光伝送装置において、前記第２の波長計を用いて前記第２の測定光の波長を測定し、
前記第２の光伝送装置において、前記第２の波長計を用いて測定された前記第２の測定光の波長と前記第２の波長情報により表される波長との間の第２の誤差を検出し、
前記第２の光伝送装置から前記第３の光伝送装置へ前記第２の誤差を表す第２の誤差情報を送信し、
前記第３の光伝送装置において、前記第２の誤差情報に基づいて前記第３の波長計を校正する
ことを特徴とする付記５に記載の波長校正方法。
（付記１０）
前記光ネットワークシステムは、前記第２の光伝送装置に接続され、且つ、前記第２の光伝送装置を経由して前記第１の光伝送装置に接続される、第３の波長計を有する第３の光伝送装置を含み、
前記第３の光伝送装置から前記第２の光伝送装置を経由して前記第１の光伝送装置へ第２の測定光を送信し、
前記第１の光伝送装置において、前記第２の測定光の波長を表す第２の波長情報を取得し、
前記第１の光伝送装置において、前記第１の波長計を用いて前記第２の測定光の波長を測定し、
前記第１の光伝送装置において、前記第１の波長計を用いて測定された前記第２の測定光の波長と前記第２の波長情報により表される波長との間の第２の誤差を検出し、
前記第１の光伝送装置から前記第３の光伝送装置へ前記第２の誤差を表す第２の誤差情報を送信し、
前記第３の光伝送装置において、前記第２の誤差情報に基づいて前記第３の波長計を校正する
ことを特徴とする付記５に記載の波長校正方法。
（付記１１）
基準波長光源を有する基準光伝送装置からｋ個の光伝送装置を経由して校正された第ｋ＋１の波長計を有する第ｋ＋１の光伝送装置、および前記第ｋ＋１の光伝送装置に光伝送路を介して接続される第ｋ＋２の波長計を有する第ｋ＋２の光伝送装置を含む光ネットワークシステムにおいて使用される光の波長を校正する波長校正方法であって、
前記第ｋ＋２の光伝送装置から前記第ｋ＋１の光伝送装置へ第ｋ＋１の測定光を送信し、
前記第ｋ＋１の光伝送装置において、前記第ｋ＋１の測定光の波長を表す第ｋ＋１の波長情報を取得し、
前記第ｋ＋１の光伝送装置において、前記第ｋ＋１の波長計を用いて前記第ｋ＋１の測定光の波長を測定し、
前記第ｋ＋１の光伝送装置において、前記第ｋ＋１の波長計を用いて測定された前記第ｋ＋１の測定光の波長と前記第ｋ＋１の波長情報により表される波長との間の第ｋ＋１の誤差を検出し、
前記第ｋ＋１の光伝送装置から前記第ｋ＋２の光伝送装置へ前記第ｋ＋１の誤差を表す第ｋ＋１の誤差情報を送信し、
前記第ｋ＋２の光伝送装置において、前記第ｋ＋１の誤差情報に基づいて前記第ｋ＋２の波長計を校正する
ことを特徴とする波長構成方法。
（付記１２）
基準波長光源を有する基準光伝送装置からｋ本の光伝送路を経由して校正された第ｋ＋１の波長計を有する第ｋ＋１の光伝送装置、および前記第ｋ＋１の光伝送装置に光伝送路を介して接続される第ｋ＋２の波長計を有する第ｋ＋２の光伝送装置を含む光ネットワークシステムにおいて使用される光の波長を校正する波長校正方法であって、
前記第ｋ＋２の光伝送装置から、前記第ｋ＋１の光伝送装置を経由して光信号のまま前記基準光伝送装置へ第ｋ＋１の測定光を送信し、
前記基準光伝送装置において、前記第ｋ＋１の測定光の波長を表す第ｋ＋１の波長情報を取得し、
前記基準光伝送装置において、前記基準波長光源により校正された第１の波長計を用いて前記第ｋ＋１の測定光の波長を測定し、
前記基準光伝送装置において、前記第１の波長計を用いて測定された前記第ｋ＋１の測定光の波長と前記第ｋ＋１の波長情報により表される波長との間の第ｋ＋１の誤差を検出し、
前記基準光伝送装置から前記第ｋ＋２の光伝送装置へ前記第ｋ＋１の誤差を表す第ｋ＋１の誤差情報を送信し、
前記第ｋ＋２の光伝送装置において、前記第ｋ＋１の誤差情報に基づいて前記第ｋ＋２の波長計を校正する
ことを特徴とする波長構成方法。
【符号の説明】
【００８６】
１、２ａ〜２ｃ、３ａ〜３ｃ  光伝送装置
１１  波長計
１３  制御部
１３ａ  校正部
１３ｂ  検出部
１３ｃ  送信部
１３ｄ  ＬＤ制御部
２１ａ、２１ｂ  基準波長光源
２３  波長可変光フィルタ
２４  光分岐器
２５  受信部
２６ａ〜２６ｎ  波長可変光源
２７ａ〜２７ｎ  光変調器
２８ａ〜２８ｎ  光分岐器
２９    光カプラ
５１ａ、５１ｂ  波長チューナブルバンドパス光フィルタ
５２ａ、５２ｂ  波長選択スイッチ（ＷＳＳ）
１００  光ネットワークシステム
２００  ネットワーク管理システム
３００  基準光伝送装置
４００  光伝送装置
【図１】
2016100743.tif 000003
【図２】
2016100743.tif 000004
【図３】
2016100743.tif 000005
【図４】
2016100743.tif 000006
【図５Ａ】
2016100743.tif 000007
【図５Ｂ】
2016100743.tif 000008
【図５Ｃ】
2016100743.tif 000009
【図６】
2016100743.tif 000010
【図７Ａ】
2016100743.tif 000011
【図７Ｂ】
2016100743.tif 000012
【図７Ｃ】
2016100743.tif 000013
【図８Ａ】
2016100743.tif 000014
【図８Ｂ】
2016100743.tif 000015
【図８Ｃ】
2016100743.tif 000016
【図９Ａ】
2016100743.tif 000017
【図９Ｂ】
2016100743.tif 000018
【図９Ｃ】
2016100743.tif 000019
【図１０】
2016100743.tif 000020
【図１１】
2016100743.tif 000021
【図１２】
2016100743.tif 000022
【図１３】
2016100743.tif 000023